(57)【要約】【課題】  梁と柱、柱と土台等の木材同士を結合にする際にアリ結合を簡単に実現することができ、しかも木材の持つ強度を最大限に引き出すことができる木材の結合金具を提供する。【解決手段】  梁１の端面に設けられたアリ１ｂと、柱２の側面に設けられてアリが嵌合する角穴２ｂとの間に介在されてこれらを結合する木材の結合金具３であって、結合金具３は、アリ１ｂに対応して両側板３ａが底板の一側に直角に折曲され、内側に先端から底板３ｂに向かってアリ１ｂと係合する楔部３ｅが設けられ、アリ１ｂに嵌合装着されて角穴２ｂに嵌合され、且つ柱２に固定されて梁１と柱２とをアリ構造により結合する。【選択図】      図１
2005090084.tif 000002
【特許請求の範囲】
【請求項１】
第１の木材の端面に設けられたアリと、第２の木材の側面に設けられて前記アリが嵌合する角穴との間に介在されてこれらを結合する木材の結合金具であって、
前記結合金具は、
前記アリに対応して両側板が底板の一側に直角に折曲され、内側に先端から底板に向かって前記アリと係合する楔部が設けられ、前記アリに嵌合装着されて前記第２の木材の角穴に嵌合され、且つ前記第２の木材に固定されて前記第１の木材と第２の木材と結合することを特徴とする木材の結合金具。
【請求項２】
前記アリは、端面に長手方向に沿って少なくとも１本のスリットが設けられ、前記結合金具は、底板に前記スリットに嵌合する支持板が垂設されていることを特徴とする請求項１記載の木材の結合金具。
【請求項３】
第１の木材の端面に設けられた平ほぞと、第２の木材の側面に設けられて前記平ほぞが嵌合する角穴との間に介在されてこれらを結合する木材の結合金具であって、
前記結合金具は、
前記平ほぞに対応して両側板が底部の一側に直角に折曲され、外側に先端から底板に向かってテーパ状に拡開する楔部が設けられ、前記平ほぞに固定される第１の結合金具と、前記第１結合金具に対応して両側板が底板の一側に直角に折曲され、内側に先端から底板に向かって前記第１の結合金具の楔部と係合する楔部が設けられ、前記第１の結合金具に外嵌装着される第２の結合金具とから成り、
前記第１、第２の結合金具が前記平ほぞに装着されて前記第２の木材の角穴に嵌合され、且つ前記第２の結合金具が前記第２の木材に固定されて前記第１の木材と第２の木材とを結合することを特徴とする木材の結合金具。
【請求項４】
第１の木材の端面に設けられたアリと、第２の木材の側面に設けられて前記アリが嵌合する角穴との間に介在されてこれらを結合する木材の結合金具であって、
前記アリは、端面に長手方向に沿って少なくとも１本のスリットが設けられ、
前記結合金具は、
前記アリに対応して両側板が底板の一側に直角に折曲され、内側に先端から底板に向かって前記アリと係合する楔部が設けられ、前記底板に前記アリのスリットと対応してスリットが設けられて前記アリに嵌合装着される第１の結合金具と、前記第２の木材の角穴底面に固定される底板と、該底板に垂設されて前記第１の結合金具のスリットを貫通して前記アリのスリットに嵌合する支持板とを具備する第２の結合金具とから成り、
前記第１の結合金具が前記アリに嵌合装着されて前記第２の木材の角穴に嵌合され、前記第２の結合金具の支持板が前記第１の金具のスリットを貫通して前記アリのスリットに嵌合し、且つ前記第１の結合金具が前記第２の木材に固定されて前記第１の木材と第２の木材とを結合することを特徴とする木材の結合金具。
【請求項５】
前記第１の木材が梁であり、前記第２の木材が柱であることを特徴とする請求項１乃至４記載の木材の結合金具。
【請求項６】
前記第１の木材が柱であり、前記第２の木材が土台であることを特徴とする請求項１乃至４記載の木材の結合金具。
【発明の詳細な説明】
【技術分野】
【０００１】
本発明は、特に木造建築物の梁と柱、柱と土台、梁と梁等の結合に好適な木材の結合金具に関する。
【背景技術】
【０００２】
古来より、日本の木造建築物は、軸組み工法で建築され、材木の力を巧みに利用して強度と共に美しさも追求してきている。一方、現代の木造建築は、合理化や工期短縮、職人の不足等の理由で結合部に金物を多用している。即ち、柱と梁との結合部に使用される軸組み工法の美点である仕口にアリとアリ溝（穴）を用いた工法は、女木（柱）のアリ溝加工の難しさを簡略化して角穴を穿設し、男木（梁）の木口に形成した角形の嵌合突部を嵌合し、羽子板ボルトで補強するのが一般的になっている。また、地震時のエネルギ吸収能力を高めた木造建築物における梁と柱とを鋼板とドリフトピンとにより連結する結合構造も提案されている（例えば、特許文献１参照。）。
【０００３】
また、柱と土台との結合構造においては、結合部にＴ形をなし、水平部が土台に固定され、垂直部が柱の木口に設けられたスリットに挿入されてアンカーピンで固定される鋼板製の組付プレートが使用されている（例えば、特許文献２参照。）。
【特許文献１】特開２００２−３８５９１号公報（図１）
【特許文献２】特開２００２―１１５３３９号公報（図７）
【発明の開示】
【発明が解決しようとする課題】
【０００４】
しかしながら、羽子板ボルトや、組付プレートとドリフトピン等を使用した場合、美感が悪くなるばかりでなく、ボルト穴や、ナットを埋め込むための座堀加工や、ドリフトピンを多数打ち込むための多数の穴加工による木材の欠損も大きくなり、強度も低下する。また、パネル工法等においては、パネルを取り付ける際に金物やボルトが邪魔になることがある。
【０００５】
また、柱と土台との結合に鋼板製の組付プレートを使用した場合、この組付プレートが災いして木痩せしたときに隙間が生じるという問題もある。更に、ドリフトピンを使用する場合、木材の強度上木口からドリフトピンまで所定距離、具体的にはピン径の約７倍程度の距離を必要とされる等の制約もある。
このため、本発明では、梁と柱、柱と土台、梁と梁等の木材同士を結合にする際にアリ結合を簡単に実現することができ、しかも木材の持つ強度を最大限に引き出すことができる木材の結合金具を提供することを目的する。
【課題を解決するための手段】
【０００６】
上記目的を達成するため、請求項１の発明では、第１の木材の端面に設けられたアリと、第２の木材の側面に設けられて前記アリが嵌合する角穴との間に介在されてこれらを結合する木材の結合金具であって、前記結合金具は、前記アリに対応して両側板が底板の一側に直角に折曲され、内側に先端から底板に向かって前記アリと係合する楔部が設けられ、前記アリに嵌合装着されて前記第２の木材の角穴に嵌合され、且つ前記第２の木材に固定されて前記第１の木材と第２の木材と結合することを特徴としている。
【０００７】
請求項２の発明では、前記アリは、端面に長手方向に沿って少なくとも１本のスリットが設けられ、前記結合金具は、底板に前記スリットに嵌合する支持板が垂設されていることを特徴としている。
請求項３の発明では、第１の木材の端面に設けられた平ほぞと、第２の木材の側面に設けられて前記平ほぞが嵌合する角穴との間に介在されてこれらを結合する木材の結合金具であって、前記結合金具は、前記平ほぞに対応して両側板が底部の一側に直角に折曲され、外側に先端から底板に向かってテーパ状に拡開する楔部が設けられ、前記平ほぞに固定される第１の結合金具と、前記第１結合金具に対応して両側板が底板の一側に直角に折曲され、内側に先端から底板に向かって前記第１の結合金具の楔部と係合する楔部が設けられ、前記第１の結合金具に外嵌装着される第２の結合金具とから成り、前記第１、第２の結合金具が前記平ほぞに装着されて前記第２の木材の角穴に嵌合され、且つ前記第２の結合金具が前記第２の木材に固定されて前記第１の木材と第２の木材とを結合することを特徴としている。
【０００８】
請求項４の発明では、第１の木材の端面に設けられたアリと、第２の木材の側面に設けられて前記アリが嵌合する角穴との間に介在されてこれらを結合する木材の結合金具であって、前記アリは、端面に長手方向に沿って少なくとも１本のスリットが設けられ、前記結合金具は、前記アリに対応して両側板が底板の一側に直角に折曲され、内側に先端から底板に向かって前記アリと係合する楔部が設けられ、前記底板に前記アリのスリットと対応してスリットが設けられて前記アリに嵌合装着される第１の結合金具と、前記第２の木材の角穴底面に固定される底板と、該底板に垂設されて前記第１の結合金具のスリットを貫通して前記アリのスリットに嵌合する支持板とを具備する第２の結合金具とから成り、前記第１の結合金具が前記アリに嵌合装着されて前記第２の木材の角穴に嵌合され、前記第２の結合金具の支持板が前記第１の金具のスリットを貫通して前記アリのスリットに嵌合し、且つ前記第１の結合金具が前記第２の木材に固定されて前記第１の木材と第２の木材とを結合することを特徴としている。
【０００９】
請求項５の発明では、前記第１の木材が梁であり、前記第２の木材が柱であることを特徴としている。
請求項６の発明では、前記第１の木材が柱であり、前記第２の木材が土台であることを特徴としている。
【発明の効果】
【００１０】
請求項１の発明によれば、結合金具を第１の木材の端面に設けられたアリに楔部を介して嵌合装着して第２の木材の角穴に嵌合し、且つ前記結合金具を前記第２の木材に固定して第１の木材と第２の木材と結合することで、前記アリと嵌合する第２の木材の穴を単なる角穴とすることができ、穴加工が容易となり、作業性の向上が図られる。また、前記アリを前記角穴に真っ直ぐに差し込むことができ、組付性が向上する。これにより、木造建築物におけるアリ構造を簡単に実現することができ、第１、第２の木材をアリ構造により結合することができ、結合部の強度が確保されると共に木材の持つ強度を最大限に引き出すことができる。更に、結合部の穴や切り込みや結合金具が見えなくなり見栄えが向上すると共に錆びや火災に対しても有効である。
【００１１】
請求項２の発明では、アリの端面に設けたスリットに前記結合金具の底板に設けた支持板を嵌合させることで、アリに引張荷重が作用したときに前記支持板を挟持する力が発生して結合部の強度が更に向上する。
請求項３の発明によれば、第１の木材の端面に設けられた平ほぞに楔部を有する第１の結合金具を固定してアリを形成し、このアリに楔部を有する第２の結合金具を嵌合装着して第２の木材の角穴に嵌合し、且つ第２の結合金具を第２の木材に固定することで、第１、第２の木材をアリ構造により簡単に結合することができる。また、第１の木材の嵌合凸部を平ほぞとし、第２の木材の穴を角穴とすることができるために加工が極めて容易となり作業性の大幅な向上が図られる。
【００１２】
請求項４の発明によれば、第１の結合金具が第１の木材のアリに嵌合装着されて第２の木材の角穴に嵌合され、第２の木材の角穴に固定された第２の結合金具の支持板が前記第１の金具のスリットを貫通して前記アリのスリットに嵌合し、前記第１の結合金具が前記第２の木材に固定されて前記第１の木材と第２の木材とを結合することで、前記第１、第２の木材をアリ構造により結合することができ、且つ前記アリに引張荷重が作用したときに前記支持板を挟持する力が発生して結合部の強度が更に向上する。
【００１３】
請求項５の発明によれば、木造建築物において梁と柱とを簡単にアリ構造で結合することができ、しかも結合金具が柱の穴内に嵌合されることで外部から見えなくなり、見栄えが向上する。また、結合金具が錆びに難く、火災に対しても有効である。
請求項６の発明によれば、木造建築物において柱と土台とを簡単にアリ構造で結合することができ、結合金具が穴内に収納されることで、パネル工法等において結合金具が邪魔になることがなく、作業性の向上や見栄えの向上が図られる。また、建方時に結合金具の取り付けが終了し、作業能率が向上する。
【発明を実施するための最良の形態】
【００１４】
【実施例１】
【００１５】
図１は、本発明に係る木材の結合金具を適用した実施例１を示し、木造建築物の梁と柱との結合部の組立斜視図である。梁１は、柱２と直交して組み付けられ、木口１ａの中央に嵌合凸部としてのアリ１ｂが形成されている。柱２は、側面２ａにアリ１ｂが嵌合する穴２ｂが設けられており、アリ１ｂと穴２ｂとの間に結合金具３が介在される。梁１のアリ１ｂは、両側面１ｃ、１ｃが平行な面をなし、上下両面１ｄ、１ｄが木口１ａから先端に向かってテーパをなして拡開する側面視逆台形状をなしている。
【００１６】
柱２の穴２ｂは、アリ１ｂに結合金具３を装着した状態でアリ１ｂが嵌合する大きさの角穴とされ、梁１の木口１ａが柱２の側面２ａに当接するようになっている。また、柱２の側面２ｃには穴２ｂの底面２ｄと上下の内面２ｅとの隅部近傍に沿ってピン穴２ｆ、２ｆが貫通して設けられている。穴２ｂは、角穴とされることで、穴加工が容易となる。
結合金具３は、梁１のアリ１ｂに外嵌し、且つ柱２の穴２ｂに嵌合する形状とされており、図２乃至図４に示すように側面視角形のＵ字状をなし、両側板３ａが底板３ｂの一側（図中上方）に直角に折曲され、更に内側に直角に折曲されて肩部３ｃとされ、更に側板３ａと底板３ｂとの連設部近傍に向かって斜め下方に向かって折曲されて傾斜部３ｄとされ、当該傾斜部３ｄの先端（下端）が側板３ａの内面下部に当接している。傾斜部３ｄ、３ｄの肩部３ｃ、３ｃに対する傾斜は、アリ１ｂの上下面１ｄ、１ｄの木口１ａに対するテーパと同じとされ、アリ１ｂの上下面１ｄ、１ｄに当接するようになっている。即ち、結合金具３は、両側板３ａ、３ａと肩部３ｃ、３ｃと傾斜部３ｄ、３ｄとによりアリ１ｂに嵌合する楔部３ｅ、３ｅが形成されている。
【００１７】
図２及び図３に示すように結合金具３の側板３ａの略中央に上部（肩部３ｃ側）から底板３ｂ側に延出する略く字状の係止爪３ｆが切り起こして形成され、付根から折曲部まで側板３ａの外側に斜めに張り出し、先端部が内側に延びて傾斜部３ｄの不図示の穴に遊嵌されている。この係止爪３ｆは、結合金具３をアリ１ｂに装着した際に仮止めして逸脱を防止するためのものである。尚、係止爪３ｆは、必ずしも必要とするものではなく、設けなくともよい。
【００１８】
また、側板３ａの下部位置に係止爪３ｆの両側に係止爪３ｇ、３ｇが切り起こして形成されている。これらの係止爪３ｇは、側板３ａの下部から上部に向かい、且つ外側に向かって斜め上方に延出しており、結合金具３が柱２の穴２ｂに嵌合されたときに当該穴２ｂの対向する内面２ｅに食い込んで結合金具３の抜けを防止するためのものである。
図４に示すように底板３ｂは、図中左右２つに分割されており、夫々略櫛状をなして係合されている。即ち、係合片３ｈと、この係合片３ｈと係合する係合凹部（切欠）３ｉとが交互に複数例えば、２つづつ形成され、左右の各係合片３ｈと各係合凹部３ｉとが突き合わされて摺動自在に係合されている。これにより、左右の側板３ａ、３ａが夫々矢印Ａ、Ａ'方向に移動自在とされている。この結合金具３は、鋼板をプレス加工して形成されている。
【００１９】
以下に梁１と柱２と結合金具３との結合について説明する。
図１に示すように梁１のアリ１ｂの側方から結合金具３を嵌め込んで両側板３ａ、３ａの係止爪３ｆ、３ｆをアリ１ｂの上下面１ｄ、１ｄに打ち込んで固定する。これにより、結合金具３がアリ１ｂに仮止めされ、逸脱が防止される。この状態において結合金具３は、両肩部３ｃ、３ｃがアリ１ｂの付根部において木口３ａに当接し、傾斜部３ｄ、３ｄがアリ１ｂの上下面１ｄ、１ｄに当接し、底板３ｂがアリ１ｂの端面から僅かに具体的には、ピン４の外径程度離隔している。結合金具３は、梁１のアリ１ｂに予め装着しておくことで、建築現場での梁１と柱２との組み付けの作業性が向上する。
【００２０】
また、結合金具３の底板３ｂが左右２つに分割されていることでアリ１ｂの寸法に合わせて両側板３ａ、３ａの間隔を調整することができ、傾斜部３ｄ、３ｄをアリ１ｂの上下両面１ｄ、１ｄに良好に接触させることが可能となる。従って、梁１の太さに応じて加工されるアリ１ｂの大きさの違い等に容易に対処することが可能となる。尚、アリ１ｂの大きさに応じた結合金具３を使用する場合には底板３ｂを必ずしも２つに分割する必要はなく一体としてもよい。
【００２１】
次いで、図５に示すように結合金具３が装着された梁１のアリ１ｂを柱２の穴２ｂに真っ直ぐに差し込み嵌合する。この状態において結合金具３の底板３ｂが穴２ｂの底面２ｄに、両側板３ａが穴２の上下内面２ｅに、アリ１ｂの両側面１ｃが穴２ｂの対応する両側面に夫々当接し、且つ梁１の木口１ａが柱２の側面２ａに当接する。そして、両側板３ａの各係止爪３ｇが穴２ｂの上下面２ｅ、２ｅに食い込み、抜けが防止される。尚、係止爪３ｇに替えて接着材で両側板３ａを穴２ｂの上下面２ｅに接着して固定するようにしてもよい。通常の雄アリと雌アリ（アリ溝）とは真っ直ぐに差し込むことができないが、本願発明においては梁１のアリ１ｂを柱２の穴２ｂに真っ直ぐに差し込むことができるため組付性が向上する。
【００２２】
次いで、柱２の側面２ｃのピン穴２ｆ、２ｆにピン４、４を打ち込み、アリ１ｂの先端面と結合金具３の側板３ａ、３ａと底板３ｂとの各内側隅部に当接させて貫通させる。結合金具３は、これら２本のピン４により柱２に強固に固定される。このようにして、梁１が柱２に結合される。結合金具３は、柱２の穴２ｂ内に嵌挿されて外部から全く見えなくなり見栄えが向上する。更に、結合金具３は、穴２ｂ内に収納されることで大気に触れることがないために錆び難く、また火災の際にも直接火炎に晒されることがなく耐久性の向上が図られる。
【００２３】
この結合状態において、梁１に矢印方向Ｂの引張荷重が作用した場合、アリ１ｂのテーパをなす上下面１ｄ、１ｄが結合金具３の傾斜部３ｄ、３ｄを押し開くように摺動し、前記引張荷重の大部分が傾斜部３ｄ、３ｄ即ち、楔部３ｅ、３ｅに伝達される。楔部３ｅに伝達された前記引張荷重は、更に穴２ｂの上下面２ｅ、２ｅに伝達され、楔効果によりこれら上下面２ｅ、２ｅを大きな力で押し開くように作用する。結合金具３は、ピン４、４により柱２に固定されており、底板３ｂが２分割されていることで両側板３ａ、３ａがアリ１ｂの矢印Ｂ方向への摺動に伴い穴２ｂの上下面２ｅ、２ｅ側に移動可能となる。これによりアリ１ｂの抜け方向の摺動に対する側板３ａ、底板３ｂの反りや変形が抑えられ、更に穴２ｂの内面２ｅと側板３ａとの間に摩擦力が作用し、楔部３ｅに作用する引張荷重が柱２に有効に伝達される。これにより、アリ１ｂに作用する引張荷重が軽減され、アリ１ｂが穴２ｂから抜けることが防止される。従って、地震等により柱が揺れた際に梁１が柱２から外れることが防止される。結合金具３に作用する引張荷重は、楔部３ｅにおいて柱２側に有効に伝達されることでピン４に加わる荷重が小さく、従って、ピン４は細いピン、或いは釘等を使用することが可能であり、柱２の負担が軽減されると共に軽量化、コストの低減を図ることが可能である。
【００２４】
尚、アリ１ｂと柱２とを更に強固に結合すべく図５に２点鎖線で示すようにドリフトピンをアリ１ｂと柱２とを貫通させるようにしてもよい。アリ１ｂは、上下両面１ｄ、１ｄが楔部３ｅ、３ｅにより締め付けられていることで、ドリフトピンによる木割れが防止される。従って、ドリフトピンの打ち込み位置の制約が緩和される。この場合も、細いドリフトピンを使用することができアリ１ｂ、柱２の負担を軽くすることができる。
【実施例２】
【００２５】
図６は、本発明に係る木材の結合金具を適用した実施例２を示す梁と柱との結合部の断面図で、アリ１ｂは、付根部１ｂ'を太くして強度を持たせた形状とされており、これに応じて結合金具３の肩部３ｃと傾斜部３ｄとの連設部に、付根部１ｂ'と対応する係合部３ｄ'を形成したものである。他の構成及び作用効果については実施例１と同様である。
【実施例３】
【００２６】
図７は、本発明に係る木材の結合金具を適用した実施例３を示す梁と柱との結合部の断面図で、アリ１ｂは、上下面１ｄ、１ｄの各先端に凸部１ｄ'、１ｄ'を設けて両側板３ａ、３ａの内面に当接させ軽度の揺れに有効に対処するように形成されており、これに応じて結合金具３の傾斜部３ｄの長さを突部１ｄ'、１ｄ'の肩部に当接する長さとしたものである。他の構成は実施例１と同様である。柱２の揺れが大きく凸部１ｄ'、１ｄ'が破損した場合でも、アリ１ｂの上下面１ｄ、１ｄと結合金具３の楔部３ｅ、３ｅとの間で前述した楔効果が得られ、アリ１ｂが穴２ｂから外れることが防止される。
【実施例４】
【００２７】
図８及び図９は、本発明に係る木材の結合金具を適用した実施例４を示す梁と柱との結合部の断面図である。尚、接続金具５は、図２に示す接続金具３と対応する部位に対応する符号を付して詳細な説明を省略する。アリ１ｂは、両側面１ｃ、１ｃに先端から略中央までテーパ状に傾斜して細くなるように切り込まれて第２のアリ１ｃ'、１ｃ'が形成されている。これによりアリ１ｂの欠損を少なくしている。一方、結合金具５は、図中上下両側板５ａに第１のアリ１ｄと係合する第１の楔部５ｅが、左右両側板５ａ'に第２のアリ１ｃ'と係合する第２の楔部５ｅ'が形成されている（図９）。結合金具５は、図８に示すように左右両側板５ａ'の略中央位置で上下に二分割されてアリ１ｂへの装着が可能とされている（図８）。また、両側板５ａ'の両側板５ａと底板５ｂとの連設部近傍にピン穴５ｊが穿設されている。
【００２８】
この結合金具５は、図示のようにアリ１ｂに装着されて係止爪５ｆにより仮止め固定されて柱２の穴２ｂに嵌合され、ピン穴５ｊにピン４が貫通されて柱２に固定される。アリ１ｂは、上下左右の４面をアリ構造とされていることで、当該アリ１ｂと結合金具５と柱２との間に作用する楔作用の効果が増大してアリ１ｂが穴２ｂから外れることがより有効に防止される。
【実施例５】
【００２９】
図１０は、本発明に係る木材の結合金具を適用した実施例５を示す梁と柱との結合部の断面図ある。尚、図中結合金具６は、図２に示す接続金具３と対応する部位に対応する符号を付して詳細な説明を省略する。結合金具６は、図中上下両側板６ａに梁１のアリ１ｂと係合する楔部６ｅが形成されており、底板６ｂに両側板６ａと６ａとの間に楔部６ｅの幅方向に沿って幅広い支持板６ｋが例えば、等間隔で２枚垂設されている。一方、梁１のアリ１ｂの端面には前記支持板６ｋが嵌合するスリット１ｆが梁１の長手方向に沿って設けられている。
【００３０】
結合金具６は、アリ１ｂの側方から挿入され、楔部３ｅがアリ１ｂの上下両面１ｄと係合し、支持板６ｋがスリット１ｆに嵌合して装着される。アリ１ｂは、結合金具６が装着された状態で柱１の穴２ｂに嵌合され、結合金具６がピン４により当該柱２に固定される。アリ１ｂは、梁１に矢印Ｂ方向の引張荷重が加わった際に両側の楔部６ｅ、６ｅから受ける圧縮力により結合金具６の支持板６ｋを強固に挟み込むこととなり、結合金具６に係止される力が大きくなり、引張荷重に有効に対抗可能とされる。尚、結合金具６は、支持板６ｋに代えてピンを垂設してもよい。
【実施例６】
【００３１】
図１１は、本発明に係る木材の結合金具を適用した実施例６を示す梁と柱との結合部の断面図である。尚、図中結合金具７は、図２に示す接続金具３と対応する部位に対応する符号を付して詳細な説明を省略する。アリ１ｂは、上下両面が平行な面とされ、左右の両側面１ｃに先端から略中央までテーパ状に傾斜して細くなるように切り込み（アリ）１ｃ'が設けられて形成されている。これによりアリ１ｂの欠損を少なくしている。また、アリ１ｂの端面中央に梁１の長手方向に沿ってスリット１ｆが設けられている。
【００３２】
一方、結合金具７は、第１の結合金具８と第２の結合金具９とから成り、第１の結合金具８は、両側壁８ａにアリ１ｂの切り込み１ｃ'と係合する楔部８ｅが形成されている。また、両側板８ａの底板８ｂの左右近傍にピン穴８ｊが穿設されている。第２の結合金具９は、底板９ａがアリ１ｂの端面と同じ大きさとされ、中央部の両面に支持板９ｂ、９ｃが垂設されて端面視略十字形状をなしている。一側の支持板９ｂは、両面に係止爪９ｄが切り起こして形成されアリ１ｂのスリット１ｆに嵌合可能とされている。他側の支持板９ｃは、ピン４の直径よりも僅かに長い程度とされており、ピン穴８ｊと対応してピン穴９ｅが設けられている。
【００３３】
第２の結合金具９は、支持板９ｂがアリ１ｂのスリット１ｆに嵌合され、且つ底板９ａがアリ１ｂの端面に当接されて取り付けられる。次いで、第１の金具８がアリ１ｂの側方から装着されて切り込み１ｃ'に両側板８ａの楔部８ｅが係合される。結合金具７が装着されたアリ１ｂは、柱２の穴２ｂに嵌合され、結合金具８がピン穴２ｆ、８ｊ、９ｅを貫通するピン４により柱２に固定される。アリ１ｂは、梁１に矢印方向Ｂの引張荷重が加わった際に両側の楔部８ｅ、８ｅから受ける圧縮力により結合金具９の支持板９ｂを強固に挟み込むこととなり、結合金具９に係止される力が大きくなり、引張荷重に有効に対抗可能とされる。また、結合金具は、支持板９ｂの係止爪９ｄにより木痩せした際のガタツキが防止される。
【実施例７】
【００３４】
図１２は、本発明に係る木材の結合金具を適用した実施例７を示す梁と柱との結合部の断面図ある。梁１は、木口１ａにアリに代えて角形の嵌合突部（以下「平ほぞ」という）１ｇが設けられており、当該平ほぞ１ｇの内部中央にアリ溝（嵌合穴）１ｈが設けられている。アリ溝１ｈは、略二等辺三角形状をなし、平ほぞ１ｇの付根側から端面に向かってテーパをなして先細りして端面にスリット状に開口している。このアリ溝１ｈは、平ほぞ１ｇを一側面から他側面に貫通している。即ち、平ほぞ１ｇは、内側にアリ溝１ｈが設けられた形状とされている。柱２は、平ほぞ１ｇが嵌合する角穴２ｂが穿設され、両側面下部の底部近傍にピン穴２ｆが貫設されている。
【００３５】
結合金具１１は、底板１１ａが平ほぞ１ｇと同じ大きさとされ、中央にアリ溝１ｈに嵌合する逆三角形状の楔部１１ｂが形成されている。また、楔部１１ｂの付根部にはピン穴２ｆと対応してピン穴１１ｃが穿設されている。この結合金具１１は、平ほぞ１ｇの側方から楔部１１ｂをアリ溝１ｈに嵌合されて平ほぞ１ｇに装着される。次いで、平ほぞ１ｇが柱２の穴２ｂに嵌合され、ピン穴２ｆ、１１ｃを貫通するピン４により固定される。
【実施例８】
【００３６】
図１３は、本発明に係る木材の結合金具を適用した実施例８を示す柱と土台との結合部の断面図である。尚、図中結合金具２１は、図２に示す接続金具３と対応する部位に対応する符号を付して詳細な説明を省略する。柱１５の木口（下端）１５ａにアリ１５ｂが形成され、当該アリ１５ｂに結合金具２１が装着され、土台１６の上面１６ａに結合金具２１が装着されたアリ１５ｂが嵌合される角穴１６ｂが設けられている。また、角穴１６ｂの底面中央にボルト穴１６ｃが設けられている。
【００３７】
結合金具２１は、両側板２１ａに肩部２１ｃ、傾斜部２１ｄから成る楔部２１ｅが形成され、底板２１ｂの両側部２１ａ'が直角に図中上方（楔部側）に立設されて係止部とされ、上端がアリ１５ｂの端面に当接するようになっている。また、底板２１ｂの中央にボルト用の長穴２１ｍが穿設されている。側部２１ａ'の高さは、ボルト１７の頭部の高さよりも僅かに高く設定されている。
【００３８】
結合金具２１は、楔部２１ｅ側からボルト穴２１ｍにボルト１７を挿通した後アリ１５ｂに装着し係止爪２１ｆにより仮止め固定する。次いで、アリ１５ｂを土台１６の穴１６ｂに嵌合し、且つボルト１７をボルト穴１６ｃに挿通する。ボルト１７は、先端が土台１６の下面から突出して固定ナット（図示せず）が螺合される。これにより、結合金具２１が土台１６に強固に固定される。尚、土台１６は、布基礎（基礎コンクリート）上に適宜間隔で配置されたパッキン（何れも図示せず）を介して載置されており、土台１６の下面と前記布基礎上面との間に通気用の隙間が設けられている。従って、前記固定ナットは、土台１６の下面から前記隙間に突出したボルト１７の先端に螺合される。
【００３９】
更に結合金具２１は、土台１６の側面に設けられたピン穴から打ち込まれて底板２１ｂの上面と両側板２１ａの内面との隅部を貫通するピン４により固定される。結合金具２１は、ボルト１７により土台１６に強固に固定されることで、ピン４は、細いピン或いは釘を使用することができる。この場合、結合金具２１は、両側部２１ａ'を立設させてアリ１ｂの係止部としたり、底板２１ｂにボルト穴を設けなくともよい。
【実施例９】
【００４０】
図１４は、本発明に係る木材の結合金具を適用した実施例９を示し、柱と土台との結合部の断面図で、図１３に示す実施例４の柱１５の木口１５ａにアリ１５ｂに代えて平ほぞ１５ｃを形成し、当該平ほぞ１５ｃにアリを形成するための結合金具２２を装着したものである。平ほぞ１５ｃを角柱状としてアリ加工をなくし、代わりに結合金具２２によりアリを構成することで、加工を容易にしたものである。そして、結合金具２１と結合金具２２とにより柱１５と土台１６とを結合するようにしたものである。この場合、結合金具２１が雌金具、結合金具２２が雄金具とされる。
【００４１】
結合金具２２は、両側板２２ａが底板２２ｂに対して内側に傾斜して折曲され、更に底板２２ｂ側に当該底板２２ｂと垂直をなすように折曲されて係合部２２ｄとされ、先端が底板２２ｂに当接している。係合部２２ｄには内側に向かい且つ上方から底板２２ｂ側に向かって斜め下方に係止爪（図示せず）が切り起こして形成されている。また、左右の側板２２ａ及び係合部２２ｄの略中央に夫々ピン穴が穿設されている。平ほぞ１５ｃの前記ピン穴と対応する位置にもピン穴が穿設されている。そして、底板２２ｂの縁部と側板２２ａと係合部２２ｄとにより楔部２２ｅが形成されている。
【００４２】
結合金具２２は、柱１５の平ほぞ１５ｃに先端側から嵌合装着される。そして、係合部２２ｄが平ほぞ１５ｃの側面に当接し、前記係止爪が食い込んで仮止めされる。次いで、側板２２ａ、係合面２２ｄの各ピン穴からピン２３を打ち込み、平ほぞ１５ｃに結合金具２２を固定する。これにより、平ほぞ１５ｃがアリ形状とされる。この結合金具２２にボルト１７を取り付けた結合金具２１を側方から嵌合装着する。結合金具２１と結合金具２２とは楔部２１ｅと２２ｅとにより係合する。
【００４３】
結合金具２１、２２を装着した平ほぞ１５ｃを土台１６の穴１６ｂに嵌合し、ボルト１７をボルト穴１６ｃに挿通し、土台１６の下面から突出する先端部に固定ナット（図示せず）を螺合する。これにより、結合金具２１が土台１６に強固に固定される。更に結合金具２１は、下端の両隅部を土台１６の側面に設けられたピン穴を貫通するピン４により土台１６に固定される。尚、結合金具２２の平ほぞ１５ｃへの取り付けは、ピン２３に代えて結合金具２２の底板２２ｂに穴を設け、結合金具２２を平ほぞ１５ｃの端面に釘で固定するようにしてもよい。
【実施例１０】
【００４４】
図１５は、本発明に係る木材の結合金具を適用した実施例１０を示し、柱と土台との結合部の断面図である。尚、図中結合金具２６は、図２に示す接続金具３と対応する部位に対応する符号を付して詳細な説明を省略する。柱１５の木口１５ａにアリ１５ｂが形成され、このアリ１５ｂの端面には柱１５の長手方向に沿ってスリット１５ｆが複数例えば、２本間隔を存して設けられている。
【００４５】
結合金具２５は、第１の結合金具２６と第２の結合金具２７とから成り、結合金具２６は、左右両側板２６ａの内側にアリ１５ｂと係合する楔部２６ｅが一体に形成されている。底板２６ｂには、アリ１５ｂのスリット１５ｆと対応してスリットが設けられている。結合金具２７は、底板２７ａが結合金具２６の底板２６よりも僅かに幅狭とされ、上面にアリ１５ｂのスリット１５ｆと嵌合する支持板２７ｂが垂設されている。また、底板２７ａには支持板２７ｂの外側近傍に穴２７ｃが設けられている。
【００４６】
第１の結合金具２６は、アリ１５ｂの側方から嵌合装着される。また、第２の結合金具２７は、土台１６の穴１６ｂに収納されて底板２７ａがビス１８により土台１６に固定される。次いで、結合金具２６を装着されたアリ１５ｂが穴１６ｂに嵌合される。このとき結合金具２７の支持板２７ｂを、結合金具２６の底板２６ｂのスリットを貫通させてアリ１５ｂのスリット１５ｆに嵌合させる。次いで、土台１６の側面に設けられたピン穴からピン４を打ち込んで、結合金具２６の底板２６ｂの上面と両側板２６ａの内面との隅部に当接貫通させて土台１６に結合金具２６を固定する。これにより、柱１５が土台１６にアリ構造により固定される。尚、結合金具２７をビス１８に代えて前述したボルト１７（図１４）により土台１６に固定するようにしてもよい。
【００４７】
アリ１５ｂは、柱１５に矢印Ｃ方向の引張荷重が加わった際に両側の楔部２６ｅから受ける圧縮力により結合金具２７の支持板２７ｂを強固に挟み込むこととなり、結合金具２７に係止される力が大きくなり、引張荷重に対して有効である。
【実施例１１】
【００４８】
図１６は、本発明に係る木材の結合金具を適用した実施例１１を示し、柱と土台との結合部の断面図である。柱１５の木口１５ａには前記アリ１５ｂに代えて平ほぞ１５ｃが設けられており、当該平ほぞ１５ｃの中央にアリ溝（嵌合穴）１５ｈが複数例えば、２つ幅方向に並設されている。アリ溝１５ｈは、略二等辺三角形状をなし、平ほぞ１５ｃの付根側から端面に向かってテーパをなして先細りして端面にスリット状に開口している。このアリ溝１５ｈは、平ほぞ１５ｃを一側面から他側面に貫通している。土台１６には平ほぞ１５ｃが嵌合する角穴１６ｂが設けられている。
【００４９】
結合金具２９は、底板２９ａが平ほぞ１５ｃの端面と同じ大きさとされ、中央にアリ溝１５ｈに嵌合する逆三角形状の楔部２９ｂが形成されている。この楔部２９ｂは、２枚の板体２９ｃ、２９ｃが付根を互いに当接されて底板２９ａに固定され、上端が夫々内側に折曲されて対向する先端が当接されて形成されて下方に凸の逆三角形をなし、内部に空間部２９ｄが形成されている（図１６の右側）。楔部２９ｂは、左右の板体２９ｃ、２９ｃが付根から左右両側に拡開可能とされており、図示の閉じた状態においてアリ溝１５ｈの下端開口から当該アリ溝１５ｈに挿入可能とされている。底板２９ａの中央には、ボルト穴２９ｅが設けられている。また、土台１６の側面にはアリ溝１５ｈの上部中央位置と対応する位置にピン穴（図示せず）が穿設されている。
【００５０】
結合金具２９は、土台１６の穴１６ｂに収納されてボルト１７により土台１６に固定される。柱１５の平ほぞ１５ｃは、穴１６ｂに嵌合され、結合金具２９の楔部２９ｂが平ほぞ１５ｃのアリ溝１５ｈに下方から嵌合される。次いで、土台１６の側面の前記ピン穴に大径のピン１９を打ち込み、楔部２９ｂの内部空間部２９ｄの上部を貫通させる。このピン１９は、楔部２９ｂの左右の板体２９ｃ、２９ｃを左右に押し広げてアリ溝１５ｈの対抗する内面に圧接させる。更にピン１９の下側にピン１９よりも小径のピン２０を打ち込んで楔部２９ｂの左右の板体２９ｃ、２９ｃの下部を更に拡開させる（図１６の左側）。これにより、楔部２９ｂをアリ溝１５ｈに結合することができる。そして、柱１５が土台１６に強固に嵌合固定される。尚、ピン１９として金属パイプを使用すると内部に配線を挿通させることが可能となる。また、結合金具２９の底板２９ａを、ボルト１７に代えて前記布基礎に植設されて土台１６を固定するたアンカーボルトにより土台と共に固定するようにしてもよい。
【実施例１２】
【００５１】
図１７及び図１８は、本発明に係る木材の結合金具を適用した実施例１２を示し、柱と土台との結合部の断面図である。柱１５の木口１５ａにアリ１５ｂが形成され、端面に柱１５の長手方向に沿ってスリット１５ｆが複数例えば、２本間隔を存して設けられている。アリ１５ｂは、結合金具３１が装着されて土台１６の上面１６ａに形成された角穴１６ｂに嵌合される。
【００５２】
結合金具３１は、第１の結合金具３２と第２の結合金具３３とから成り、結合金具３２は、左右両側板３２ａの内側にアリ１５ｂと係合する楔部３２ｅが一体に形成されている。底板３２ｂにはアリ１５ｂのスリット１５ｆと対応してスリット（図示せず）が設けられている。底板３２ｂは、両側縁部の両側部３２ａ'、３２ａ'が上方に直角に折曲されて係止部とされ、左右の隅部にピン穴３２ｊが穿設されている。また、底板３２ｂの中央にボルト１７の頭部よりも大径の穴３２ｍが設けられている（図１８）。
【００５３】
結合金具３３は、底板３３ａの上面にアリ１５ｂのスリット１５ｆと嵌合する支持板３３ｂが垂設されており、両側部３３ａ'、３３ａ'が上方に直角に折曲されて係止部とされ、左右の隅部にピン穴３２ｊと対応してピン穴３３ｊが穿設されている。また、底板３３ａの中央にボルト穴３３ｍが設けられている（図１８）。支持板３３ｂは、結合金具３２の底板３２ｂの前記スリットを貫通可能とされ、側縁部３３ａ'、３３ａ'は、結合金具３２の底板３２ａの側縁部３２ａ'、３２ａ'に外嵌可能とされている（図１８）。
【００５４】
第１の結合金具３２は、アリ１５ｂの側方から嵌合装着される。また、第２の結合金具３３は、土台１６の穴１６ｂに収納されて底板３３ｂがボルト１７により土台１６に固定される。次いで、結合金具３２を装着されたアリ１５ｂが穴１６ｂに嵌合される。このとき結合金具３３の支持板３３ｂを結合金具３２の底板３２ｂの前記スリットを貫通させてアリ１５ｂのスリット１５ｆに嵌合させる。次いで、土台１６の側面に設けられたピン穴からピン４を打ち込んで、結合金具３３の３２の左右両側部３３ａ'、３２ａ'の各左右のピン穴３３ｊ、３２ｊを貫通させて土台１６に結合金具３３と結合金具３２とを固定する（図１８）。これにより、柱１５が土台１６にアリ構造により固定される。
【実施例１３】
【００５５】
図１９及び図２０は、本発明に係る木材の結合金具の実施例１３を示し、図１９は結合金具の一部切欠組立斜視図、図２０は図１９に示す結合金具の使用状態を示す断面図である。結合金具３５は、第１の結合金具３６、第２の結合金具３７、及び第３の結合金具３８から成る。
第１の結合金具３６は、柱１５のアリ１５ｂ（図２０）に嵌合するためのもので、左右両側板３６ａの内側に夫々アリ１５ｂと係合する楔部３６ｅが一体に形成されており、底板３６ｂの両側縁部３６ａ'、３６ａ'が上方に直角に折曲され、左右の両隅部に夫々ピン穴３６ｊが穿設されている。底板３６ｂには大きな角穴３６ｎが設けられ、この角穴３６ｎを左右方向に横切って両側板３６ａ、３６ａの下端から上端近傍までスリット３６ｐが設けられている。両側板３６ａの上部の幅は下部の両側縁部３６ｃ、３６ｃの幅よりも板厚程度幅広とされている。
【００５６】
第２の結合金具３７は、板状をなし、第１の結合金具３６のスリット３６ｐに嵌挿可能とされ、両側部近傍にスリット３７ａ、３７ａが設けられている。両側部の下部位置にはピン穴３６ｊと対応してピン穴３７ｄが、上部位置には第１の結合金具３６の楔部３６ｅの内部空間部の上部と対応してピン穴３７ｅが穿設され、中央部には上下にピン穴３７ｆ、３７ｆが穿設されている。結合金具３７の中央部は、ボルト１７（図２０）の頭部の逃げ分だけ両側部よりも短く設定されている。
【００５７】
第３の結合金具３８は、土台１６の穴１６ｂにアリ１５ｂを嵌合固定するためのもので、底板３８ａの両側縁部３８ｂが上方に直角に折曲されて第１の結合金具３６の下部の両側縁部３６ａ'、３６ａ'に外嵌可能とされ、底板３８ａの中央にボルト穴３８ｃが穿設され、当該ボルト穴３８ｃの両側に支持板３８ｄが垂設されている。これらの支持板３８ｄは、第１の結合金具３６の底板３６ｂの角穴３６ｆを貫通して結合金具３７のスリット３７ａに嵌挿可能とされている。また、両側縁部３８ｂにはピン穴３６ｊ、３７ｄと対応してピン穴３８ｅが穿設されている。
【００５８】
一方、図２０に示すようにアリ１５ｂの端面には結合金具３８の支持板３８ｄ及び結合金具３７が嵌合するスリット１５ｆ、１５ｆ'が柱１５の長手方向に沿って設けられている。また、アリ１５ｂ及び土台１６の側面にはピン穴３７ｆに対応してピン穴が穿設され、土台１６の側面には各ピン穴３６ｊ、３７ｄ、３８ｅに対応してピン穴（図示せず）が穿設されている。
【００５９】
図２０に示すように柱１５のアリ１５ｂに第１の結合金具３６を嵌合し、第２の結合金具３７をアリ１５ｂの前記スリット１５ｆ'及び結合金具３６のスリット３６ｐに差し込む。一方、土台１６の穴１６ｂに結合金具３８を嵌合してボルト１７により固定する。次いで、結合金具３６、３７を装着したアリ１５ｂを、土台１６の穴１６ｂに嵌合する。このとき、結合金具３８の各支持板３８ｄを結合金具３６の角穴３６ｎを貫通させてアリ１５ｂのスリット１５ｆ及び結合金具３７のスリット３７ａに差し込む。次に、土台１６の側面の前記ピン穴からアリ１５ｂの前記ピン穴及び結合金具３７の中央のピン穴３７ｆ、３７ｆに夫々ピン４０、４０'を打ち込んで固定する。
【００６０】
次いで、土台１６の側面に穿設されたピン穴にピン４１、４２を打ち込み、ピン４１を、土台１６と、結合金具３８のピン穴３８ｅと、結合金具３６のピン穴３６ｊと、結合金具３７のピン穴３７ｄを貫通させてこれらを固定し、ピン４２を、土台１６と、結合金具３６の楔部３６ｅの内部空間部と、結合金具３７の上部のピン穴３７ｅとを貫通させてこれらを固定する。結合金具３６の楔部３６ｅは、ピン４２により土台１６に強固に固定される。
【００６１】
アリ１５ｂと土台１６とを固定する上側のピン４０と下側のピン４０'は、結合金具３７を介して木口からの距離を交換した形になっており、柱１５に上向きの荷重が加わったときに上側のピン４０がアリ１５ｂの割れを防止し、下側のピン４０'が土台１６の割れを防止する。また、アリ１５ｂは、ピン４０、４０'の両側方に支持板３８ｄが配置されていることにより割れが防止され、ピン４０、４０'の位置の制約が緩和され、アリ１５ｂの先端近傍に打ち込むことが可能となる。
【実施例１４】
【００６２】
図２１は、本発明に係る木材の結合金具の実施例１４を示し、柱と土台との結合部の断面図である。結合金具４５は、底板４５ａがアリ１５ｂよりも楔部側に幅広とされ、左右にアリ１５ｂと対応する位置に逆三角形状の楔部４５ｅが両側に拡げて形成されており、アリ１５ｂに下方から装着可能とされ、装着後内側に折り込んだときにアリ１５ｂと嵌合可能とされている。底板４５ａの中央にボルト穴４５ｍが穿設され、当該ボルト穴４５ｍの両側に支持板４５ｋ、４５ｋが垂設されている。
【００６３】
一方、アリ１５ｂは、端面が結合金具４５の底板４５ａに当接する長さとされ、端面に各支持板４５ｋが嵌合するスリット１５ｆが設けられている。結合金具４５は、土台１６の穴１６ｂに嵌合され、ボルト１７により前述と同様に固定される。左右の楔部４５ｅは両側に拡げられており、上方からアリ１５ｂが挿入可能とされている。また、アリ１５ｂの端面中央の２枚の支持板４５ｋ間は切り欠かれてボルト１７の頭部の逃げ部が設けられている。
【００６４】
土台１６の穴１６ｂに柱１５のアリ１５ｂを嵌合してスリット１５ｆに支持板４５ｋを差し込み、アリ１５ｂの端面を結合金具４５の底板４５ａに当接させた後、左右の楔部４５ｅを矢印のように内側に折り曲げてアリ１５ｂに嵌合させる。次いで、これらの楔部４５ｅの外側面と穴１６ｂの内側面との間の角筒状の空間に角形の埋木４６を圧入嵌合し、土台１６の側面からピン４７を打ち込み、角形の埋木４６を土台１６に固定する。更に、土台１６の側面に設けられたピン穴からピン４８を打ち込み、アリ１５ｂの下部の楔部４５ｅと２枚の支持板４５ｋ、４５ｋとの間を貫通させて当該土台１６にアリ１５ｂを固定する。これにより、アリ１５ｂと土台１６とが強固に結合される。この場合、埋木４６と穴１６ｂの内面と接着剤で接着すると更に結合力が増大して好ましい。また、角形の埋木４６に代えて角形の鉄棒又は角筒形の鉄箱等を使用してもよい。
【実施例１５】
【００６５】
図２２及び図２３は、本発明に係る木材の結合金具の実施例１５を示し、図２２は柱と土台との結合部の断面図、図２３は、図２２の矢線XXIII−XXIIIに沿う断面図である。図２２及び図２３に示すように柱１５の木口１５ａに平ほぞ１５ｃが形成されており、当該平ほぞ１５ｃの両側付根部に角形の嵌合凹部１５ｃ'、１５ｃ'が設けられている。一方、土台１６の上面には平ほぞ１５ｃが嵌合する角穴１６ｂが設けられている。
【００６６】
結合金具５１は、底板５１ｂが平ほぞ１５ｃの端面と同じ大きさとされ、左右の側板５１ａが夫々上方に直角に折曲され、上端に嵌合凹部１５ｃ'と係合する嵌合凸部５１ｃが角筒状に形成されており、左右の側板５１ａ及び嵌合凸部５１ｃにピン穴５１ｄ、５１ｄ'が設けられている。底板５１ｂの両側に係止部５１ａ'、５１ａ'が間隔を存して上方に垂直に延出して形成されており、これらの係止部５１ａ'の高さは、嵌合凸部５１ｃの上面と同じ高さとされており、上部にピン穴５１ｅが設けられている。柱１５の平ほぞ１５ｃの高さは係止部５１ａ'の高さよりも後述するピン５２の太さ程度短く、ピン穴５１ｄ、５１ｅに対応してピン穴が設けられている。
【００６７】
結合金具５１は、左右の嵌合凸部５１ｃが柱１５の平ほぞ１５ｃに装着されて嵌合凸部１５ｃ'に嵌合され、これら左右の側板５１ａ及び嵌合凸部５１ｃの各ピン穴５１ｄ、５１ｄ'及び平ほぞ１５ｃのピン穴にピン５２が打ち込まれて固定され、更に、図２３に示すように両側の係止部５１ａ'のピン穴５１ｅ間に平ほぞ１５ｃを貫通するピン５３が打ち込まれている。ピン５２の両端は、両側の嵌合凸部５１ｃのピン穴５１ｄ'に支持され、ピン５２３両端は、平ほぞ１５ｃのピン穴内に僅かに没入している。そして、ピン５２と５３とは直交し、ピン５３の下側がピン５２の上側に接触している。
【００６８】
結合金具５１が装着された平ほぞ１５ｃを土台１６の穴１６ｂに嵌合し、土台１６の側面に角穴１６ｂの底部の左右隅部に穿設されたピン穴にピン５４、５４を打ち込む。これらのピン５４は、結合金具５１の底板５１ｂと左右両側部５１ａとの折曲部内側と平ほぞ１５ｃの端面との間を貫通して結合金具５１を土台１６に固定する。これにより、柱１５の平ほぞ１５ｃが土台１６の角穴１６ｂに固定される。
【００６９】
柱１５に上方への荷重が加わり、平ほぞ１５ｃを貫通して両端が結合金具５１の嵌合凸部５１ｃに支持されているピン５２に前記荷重が加わる。ピン５２は、平ほぞ１５ｃを貫通しているピン５３と接触していることで、前記荷重がピン５３に分散され、この結果、平ほぞ１５ｃに加わる荷重が軽減され、損傷が軽減される。
【実施例１６】
【００７０】
図２４及び図２５は、本発明に係る木材の結合金具の実施例１６を示し、図２４は柱と土台との結合部の断面図、図２５は、図２４の矢線XXV−XXVに沿う断面図である。図２２及び図２３に示すように柱１５の木口１５ａに平ほぞ１５ｃが形成されており、当該平ほぞ１５ｃ端面中央にスリット１５ｆが設けられている。一方、土台１６の上面には平ほぞ１５ｃが嵌合する角穴１６ｂが設けられている。
【００７１】
結合金具５５は、板状の第１の結合金具５６と第２の結合金具５７及びバネ５８から成り、平ほぞ１５ｃのスリット１５ｆに嵌合可能とされている。また、結合金具５５の高さは平ほぞ１５ｃの高さ（長さ）よりもピン６０の太さ程度高く、且つその幅が平ほぞ１５ｃの幅よりも僅かに狭く設定されている。第１の結合金具５６は、略Ｖ形をなし、一側が垂直部５６ａとされ、他側が下端から斜め上方に延出して係合凸部５６ｂとされている。この係合凸部５６ｂは、垂直部５６ａよりも僅かに低く設定されている。また、下端には平ほぞ１５ｃの厚みと同じ長さの角柱状の脚部５６ｃ（図２５）、小孔５６ｄ（図２４）が設けられている。
【００７２】
第２の結合金具５７は、一側に第１の結合金具５６の係合凸部５６ｂと嵌合する係合凹部５７ｂが設けられ、下端に切欠５７ｃ、５７ｄが設けられている。また、上部及び下部にピン穴５７ｅ、５７ｆが夫々複数設けられている。平ほぞ１５ｃにはピン穴５７ｅと対応してピン穴１５ｊが設けられており、土台１６の側面にはピン穴５７ｆと対応して夫々ピン穴１６ｊが設けられている（図２５）。
【００７３】
バネ５８は、図２６（ａ）、（ｂ）に示すように平面視略Ｓ形をなし、一端部５８ａが結合金具５６の連結部とされ、他端部５８ｂが穴１６ｂの底面との当接部とされ且つ中央部５８ｃから下方に傾斜している。図２４に示すように第１の結合金具５６の係合凸部５６ｂが第２の結合金具５７の係合凹部５７ｂに係合され、バネ５８の一側５８ａが結合金具５６の下端の小孔５６ｄに挿通され、中央部５８ｃが結合金具５７の切欠５７ｃに係止されて結合金具５６と５７とを連結し、結合金具５５を構成している。
【００７４】
結合金具５５は、柱１５の平ほぞ１５ｃのスリット１５ｆに嵌合装着され、ピン穴１５ｊ、５７ｅにピン５９が打ち込まれて固定される。このとき第１の結合金具５６の垂直部５６ａの一端面が平ほぞ１５ｃの一側端面と面一とされ、第２の結合金具５７の他端が平ほぞ１５ｃの他側端面から僅かに内方に位置している（図２４）。この平ほぞ１５ｃは、土台１６の角穴１６ｂに嵌合される。第１の結合金具５６は、脚部５６ｃにより穴１６ｂの底面に垂直に立設し、第２の結合金具５７は、下端面が角穴１６ｂの底面に当接する。そして、平ほぞ１５ｃの端面が角穴１６ｂの底面と間隔を存して対向する。
【００７５】
バネ５８は、他端部５８ｂがばね力に抗して穴１６ｂの底面に圧接して結合金具５７の切欠５７ｄに係合し、一端部５８ａがばね力により第１の結合金具５６の下端を穴１６ｂの底面に圧接させる。次に、土台１６の側面のピン穴からピン６０を打ち込み第２結合金具５７のピン穴５７ｆを貫通させ、土台１６に結合金具５５を固定する。
平ほぞ１５ｃと土台１６とを固定する上側のピン５９と下側のピン６０は、結合金具５６を介して木口からの距離を交換した形になっており、柱１５に上向きの引張荷重が加わったときに上側のピン５９が平ほぞ１５ｃの割れを防止し、下側のピン６０が土台１６の割れを防止する。
【００７６】
また、柱１５に引張荷重が加わり、柱１５が上方に引っ張られると、これに伴い第１の結合金具５６の係合凸部５６ｂと、第２の結合金具５７の係合凹部５７ｂの傾斜面により、これらの結合金具５６と５７とが離反する方向に押圧力を受け、平ほぞ１５ｃの他側面を穴１６ｂの対向する内面に圧接させる。このとき、第１の結合金具５６は、バネ５８により浮き上がりが防止される。圧接する平ほぞ１５ｃの側面と角穴１６ｂの内面とは木材同士の圧接となり摩擦抵抗が大きく、柱１５の引張に対して有効に作用する。また、係合凸部５６ｂの上部は、係合凹部５７ｂの端面に形成されている係止部５７ｂ'により規制されて変形を防止される。尚、第１結合金具５６の脚部に代えて垂直部５６ａの下部に切欠を設け、ピンにより結合金具５６を角穴１６ｂに固定するようにしてもよい。
【実施例１７】
【００７７】
図２７は、本発明に係る木材の結合金具の実施例１７を示し、梁同士の結合部の断面図である。梁６２と梁６３は、夫々継手としての平ほぞ（嵌合突部）６２ａと角穴（嵌合孔）６２ｂ、平ほぞ（嵌合突部）６３ａと角穴（嵌合孔）６３ｂが設けられており、梁６２の平ほぞ６２ａが梁６３の角穴６３ｂに、梁６３の平ほぞ６３ａが梁６２の角穴６２ｂに嵌合可能とされ、これらの梁６２と６３とが結合されるようになっている。平ほぞ６２ａ、６３ａの付け根には嵌合凹部６２ｃ、６３ｃが設けられている。嵌合凹部６２ｃ、６３ｃの内面６２ｄ、６３ｄは、開口部から底面に向かって広がるように傾斜しており、係止効果が高くされている。尚、内面６２ｄ、６３ｄは、垂直でも良い。
【００７８】
結合金具６４は、Ｌ形状をなし、一側端に平ほぞ６２ａの嵌合凹部６２ｃと嵌合する嵌合凸部６４ａが角筒状に設けられており、嵌合凸部６４ａが嵌合凹部６２ｃに嵌合して平ほぞ６２ａに取り付けられ、他側端が平ほぞ６２ａの端面にビス６６で固定される。これにより、結合金具６４は、平ほぞ６２ａの先端方向に引き抜き不能に固定される。結合金具６５も結合金具６４と同様に形成されており、梁６３の平ほぞ６３ａに取り付けられる。平ほぞ６２ａ、６３ａの先端、且つ結合金具６４、６５の折曲部内側隅部にピン穴６２ｄ、６３ｄが設けられており、梁６２、６３の対応する位置に側面からピン穴６２ｅ、６３ｅが設けられている。
【００７９】
そして、梁６２の平ほぞ６２ａが梁６３の角穴６３ｂに、梁６３の平ほぞ６３ａが梁６２の角穴６２ｂに嵌合され、梁６２、６３の側面のピン穴６２ｅ、６３ｅからピン６７、６８を打ち込んで、これらの梁６２と６３とを結合する。平ほぞ６２ａ、６３ａは、夫々結合金具６４、６５及びピン６７、６８により互いに引き抜き不能に固定される。
【実施例１８】
【００８０】
図２８は、本発明に係る木材の結合金具の実施例１８を示し、梁同士の結合部の断面図である。梁７１の木口７１ａには平ほぞ７１ｂが、梁７２の木口７２ａに平ほぞ７１ｂが嵌合する角穴７２ｂが設けられており、平ほぞ７１ｂには、端面中央からスリット７１ｃ設けられている。結合金具７３は、板体とされ、スリット７１ｃに嵌挿可能とされ、両端近傍にピン穴７３ａ、７３ｂが設けられている。また、平ほぞ７１ｂ及び梁７２には結合金具７３のピン穴７３ａ、７３ｂと対応してピン穴７１ｄ、７１ｅ、７２ｄが設けられている。
【００８１】
結合金具７３は、平ほぞ７１ｂのスリット７１ｃに挿入され、ピン穴７１ｄ、７３ａを貫通するピン７４により固定される。この結合金具７３が設けられた平ほぞ７１ｂは、梁７２の角穴７２ｂに嵌合され、ピン穴７２ｃ、７１ｅ、７３ｂを貫通するピン７５により固定される。これにより、梁７１と７２とが結合される。
【実施例１９】
【００８２】
図２９は、本発明に係る木材の結合金具の実施例１９を示し、梁同士の結合部の断面図である。梁８１の木口８１ａには平ほぞ８１ｂが、梁８２の木口８２ａに平ほぞ８１ｂが嵌合する角穴８２ｂが設けられている。結合金具８３は、第１の結合金具８４と第２の結合金具８５から成る。第１の結合金具８４は、板状をなし、平ほぞ８１ｂと同じ幅とされ、長さが平ほぞ８１ｂの長さよりも短く設定されている。この第１の結合金具８４は、平ほぞ８１ｂの両面に一端が当該平ほぞ８１ｂの端面に合わせてビス８６で装着固定されている。これにより、第１の結合金具８４の他端と梁８１の木口８１ａとの間に凹部が形成される。即ち、平ほぞ８１ｂの付け根部分に嵌合凹部８１ｃが形成される。
【００８３】
第２の結合金具８５は、両側板８５ａが一側に直角に折曲されて端面視略角形のＵ字形状をなし、第１の結合金具８４が装着された平ほぞ８１ａに外嵌可能とされ、上端に前記嵌合凹部８１ｃと嵌合する嵌合凸部８５ｃが角筒状に設けられている。側板８５ａの高さは平ほぞ８１ａの高さよりもピン８６の外径程度高く設定されている。この第２の結合金具８５は、平ほぞ８１ｂの側方から装着され、嵌合凸部８５ｃが嵌合凹部８１ｃに嵌合される。次いで、梁８２の角穴８２ｂに嵌合され、当該梁８２の側面に設けられたピン穴からピン８７を打ち込み、平ほぞ８１ｂの端面と第２の結合金具８５の底面との間、且つ両側板８５ａとの折曲部内側に当接貫通させて、角穴８２ｂに第２の結合金具８５を固定する。このようにして、梁８１と８２とを固定する。
【００８４】
尚、上記した各実施例においては、木造建築における梁と柱、柱と土台、梁と梁等の結合について説明したが、これに限るものではなく、他の例えば、コンクリート部材同士の結合にも適用し得ることは勿論である。
【図面の簡単な説明】
【００８５】
【図１】本発明に係る木材の結合金具を適用した梁と柱との結合部の組立斜視図である。（実施例１）
【図２】図１に示す結合金具の正面図である。
【図３】図２に示す結合金具の側面図である。
【図４】図２に示す結合金具の底面図である。
【図５】図１に示す梁と柱を結合金具により結合した状態における結合部の断面図である。
【図６】本発明に係る木材の結合金具を適用した柱と土台との結合部の断面図である。（実施例２）
【図７】本発明に係る木材の結合金具を適用した梁と柱との結合部の断面図である。（実施例３）
【図８】本発明に係る木材の結合金具を適用した梁と柱との結合部の断面図である。（実施例４）
【図９】図８の矢線IX―IXに沿う断面図である。
【図１０】本発明に係る木材の結合金具を適用した梁と柱との結合部の断面図である。（実施例５）
【図１１】本発明に係る木材の結合金具を適用した梁と柱との結合部の断面図である。（実施例６）
【図１２】本発明に係る木材の結合金具を適用した梁と柱との結合部の断面図である。（実施例７）
【図１３】本発明に係る木材の結合金具を適用した柱と土台との結合部の断面図である。（実施例８）
【図１４】本発明に係る木材の結合金具を適用した柱と土台との結合部の断面図である。（実施例９）
【図１５】本発明に係る木材の結合金具を適用した柱と土台との結合部造の断面図である。（実施例１０）
【図１６】本発明に係る木材の結合金具を適用した柱と土台との結合部の断面図である。（実施例１１）
【図１７】本発明に係る木材の結合金具を適用した柱と土台との結合部の断面図である。（実施例１２）
【図１８】図１７の矢線XVIII―XVIIIに沿う断面図である。
【図１９】本発明に係る木材の結合金具を適用した柱と土台との結合部の一部切欠組立斜視図である。（実施例１３）
【図２０】図１９に示す結合金具の使用状態を示す断面図である。
【図２１】本発明に係る木材の結合金具を適用した柱と土台との結合部の断面図である。（実施例１４）
【図２２】本発明に係る木材の結合金具を適用した柱と土台との結合部の断面図である。（実施例１５）
【図２３】図２２の矢線XXIII−XXIIIに沿う断面図である。
【図２４】本発明に係る木材の結合金具を適用した柱と土台との結合部の断面図である。（実施例１６）
【図２５】図２４の矢線XXV−XXVに沿う断面図である。
【図２６】図２４のばねを示し、図２６（ａ）は平面図、図２６（ｂ）は側面図である。
【図２７】本発明に係る木材の結合金具を適用した梁と梁との結合部の断面図である。（実施例１７）
【図２８】本発明に係る木材の結合金具を適用した梁と梁との結合部の断面図である。（実施例１８）
【図２９】本発明に係る木材の結合金具を適用した梁と梁との結合部の断面図である。（実施例１９）
【符号の説明】
【００８６】
１  梁
１ｂ、１５ｂ  アリ
１５ｃ  係合突起部
２、１５  柱
２ｂ、１６ｂ  角穴
３、５〜７、１１、２１、２２、２５、２９、３１、３５、４１、４５  結合金具
４、１９、２０、２３、４１〜４３、４７、４８  ピン
１６  土台
１７  ボルト
６２、６３、７１、７２、８１、８２  梁
【図１】
2005090084.tif 000003
【図２】
2005090084.tif 000004
【図３】
2005090084.tif 000005
【図４】
2005090084.tif 000006
【図５】
2005090084.tif 000007
【図６】
2005090084.tif 000008
【図７】
2005090084.tif 000009
【図８】
2005090084.tif 000010
【図９】
2005090084.tif 000011
【図１０】
2005090084.tif 000012
【図１１】
2005090084.tif 000013
【図１２】
2005090084.tif 000014
【図１３】
2005090084.tif 000015
【図１４】
2005090084.tif 000016
【図１５】
2005090084.tif 000017
【図１６】
2005090084.tif 000018
【図１７】
2005090084.tif 000019
【図１８】
2005090084.tif 000020
【図１９】
2005090084.tif 000021
【図２０】
2005090084.tif 000022
【図２１】
2005090084.tif 000023
【図２２】
2005090084.tif 000024
【図２３】
2005090084.tif 000025
【図２４】
2005090084.tif 000026
【図２５】
2005090084.tif 000027
【図２６】
2005090084.tif 000028
【図２７】
2005090084.tif 000029
【図２８】
2005090084.tif 000030
【図２９】
2005090084.tif 000031